(57)【要約】【課題】  雨水を効率よく排水して、取出口から雨水の浸入を防止することができる、サインポストを提供する。【解決手段】  ポスト本体１１前面に投入口２を形成し、この投入口２に対向するようにポスト本体１１背面に取出口３を形成し、この取出口３の下端を軸として取出口蓋４が外方に向かって回動自在に設けられ、取出口蓋４の回動によって取出口３が開閉されるサインポスト１であって、取出口３側のポスト本体１１下部に外方に向かって下り傾斜を形成する斜角状雨水受部５ａを長手方向にわたって設けてなる。【選択図】図１
2006296889.tif 000002
【特許請求の範囲】
【請求項１】
ポスト本体前面に投入口を形成し、この投入口に対向するようにポスト本体背面に取出口を形成し、この取出口の下端を軸として取出口蓋が外方に向かって回動自在に設けられ、取出口蓋の回動によって取出口が開閉されるサインポストであって、取出口側のポスト本体下部に外方に向かって下り傾斜を形成する斜角状雨水受部を長手方向にわたって設けてなることを特徴とするサインポスト。
【請求項２】
ポスト本体前面に投入口を形成し、この投入口に対向するようにポスト本体背面に取出口を形成し、この取出口の下端を軸として取出口蓋が外方に向かって回動自在に設けられ、取出口蓋の回動によって取出口が開閉されるサインポストであって、取出口蓋の表面下端部に樋状雨水受部を長手方向にわたって設けてなることを特徴とするサインポスト。
【請求項３】
ポスト本体前面に投入口を形成し、この投入口に対向するようにポスト本体背面に取出口を形成し、この取出口の下端を軸として取出口蓋が外方に向かって回動自在に設けられ、取出口蓋の回動によって取出口が開閉されるサインポストであって、取出口側のポスト本体下部に外方に向かって下り傾斜を形成する斜角状雨水受部を長手方向にわたって設け、また、取出口蓋の表面下端部に樋状雨水受部を長手方向にわたって設けてなることを特徴とするサインポスト。
【発明の詳細な説明】
【技術分野】
【０００１】
本願発明は、埋め込み型等のサインポストに関するものである。
【背景技術】
【０００２】
従来、サインポストは、通常、ポスト本体前面に形成されている投函物の投入のための投入口と対向して、投函された投函物を取り出すための取出口がポスト本体背面に形成されている。そして、中でも、投函物の取り出しを容易とするために、取出口をカバーする取出口蓋を下開き式としたサインポストが提案されている（たとえば、特許文献１参照）。具体的には、このサインポストは、取出口の下端を軸として取出口蓋が外方に向かって回動自在に設けられ、取出口蓋の回動によって取出口が開閉される、つまり、取出口蓋の開閉方式を、取出口蓋を上から下へと開放する下開き式としている。
【特許文献１】実公平８−５６５０号公報
【発明の開示】
【発明が解決しようとする課題】
【０００３】
しかしながら、上記特許文献１記載のようなサインポストにおいては、取出口蓋の開閉方式を下開き式とすることで、投函物の取り出しを容易にしてはいるものの、ポスト本体背面における雨水の排水や、ポスト本体背面に設けられた取出口からの雨水の浸入防止については考慮されておらず、雨水の排水不良および取出口からポスト本体に雨水が浸入することがあるという問題があった。
【０００４】
そこで、本願発明は、上記従来の問題点を解消するためになされたものであり、雨水を効率よく排水して、取出口からの雨水の浸入を防止することができる、新しいサインポストを提供することを課題とするものである。
【課題を解決するための手段】
【０００５】
本願発明は、上記の課題を解決するものとして、第１には、ポスト本体前面に投入口を形成し、この投入口に対向するようにポスト本体背面に取出口を形成し、この取出口の下端を軸として取出口蓋が外方に向かって回動自在に設けられ、取出口蓋の回動によって取出口が開閉されるサインポストであって、取出口側のポスト本体下部に外方に向かって下り傾斜を形成する斜角状雨水受部を長手方向にわたって設けてなることを特徴とする。
【０００６】
また、第２には、ポスト本体前面に投入口を形成し、この投入口に対向するようにポスト本体背面に取出口を形成し、この取出口の下端を軸として取出口蓋が外方に向かって回動自在に設けられ、取出口蓋の回動によって取出口が開閉されるサインポストであって、取出口蓋の表面下端部に樋状雨水受部を長手方向にわたって設けてなることを特徴とし、そして、第３には、ポスト本体前面に投入口を形成し、この投入口に対向するようにポスト本体背面に取出口を形成し、この取出口の下端を軸として取出口蓋が外方に向かって回動自在に設けられ、取出口蓋の回動によって取出口が開閉されるサインポストであって、取出口側のポスト本体下部に外方に向かって下り傾斜を形成する斜角状雨水受部を長手方向にわたって設け、また、取出口蓋の表面下端部に樋状雨水受部を長手方向にわたって設けてなることを特徴とする。
【発明の効果】
【０００７】
第１および第２の発明によれば、雨水を効率よく排水して、取出口からの雨水の浸入を防止することができる。
【０００８】
そして、第３の発明によれば、さらに効率のよい雨水の排水効果および雨水の浸入防止効果を実現することができる。
【発明を実施するための最良の形態】
【０００９】
本願発明は、上記のとおりの特徴をもつものであるが、以下に、添付した図面に沿って、本願発明の実施形態について詳細かつ具体的に説明する。
【００１０】
図１は、本願発明のサインポストの一実施形態を例示した断面図である。図２は、本願発明のサインポストの背部を例示した要部断面斜視図であり、取出口蓋が閉まった状態を示している。図３は、本願発明のサインポストの一実施形態を例示した全体斜視図であり、（Ａ）は取出口蓋が閉まっている状態、（Ｂ）は取出口蓋が開いている状態を示している。
【００１１】
図１から図３に沿って、本願発明のサインポスト１を説明する。本願発明のサインポスト１は、ポスト本体１１の前面に、投函物等を投入する投入口２を形成し、また、この投入口２と対向するように、ポスト本体１１の背面に、投入された投函物を取り出すための取出口３を形成している。
【００１２】
図３に例示したように、この取出口３の下端を軸として、取出口蓋４がサインポスト１の外方に向かって回動自在に設けられ、取出口蓋４の回動によって取出口３を開閉するようにしている。具体的には、たとえば、取出口蓋４の下部に少なくとも１つ以上の軸棒支持部材４１を長手方向にわたって設け、この軸棒支持部材４１に設けられた挿通孔（図示せず）に、取出口蓋４を上記のとおり回動せしめるための軸棒４２を挿通するとともに、その左右両端部をポスト本体１１の内壁面に当接保持させている。
【００１３】
そして、図１および図２の例のように、取出口３側のポスト本体１１下部に外方に向かって下り傾斜を形成する斜角状雨水受部５ａをポスト本体１１のほぼ長手方向にわたって設けている。このように斜角状雨水受部５ａを設けることで、ポスト本体１１上部から滴下してくる雨水を、ポスト本体１１下部で受け止めるとともに、効率よく排水することができる。
【００１４】
そして、この雨水を受け止めるために、図１中の矢印Ａと矢印Ｂとは、図１の例のようにＡ＜Ｂの関係が好ましい。また、効率よく排水するために、斜角状雨水受部５ａの下り傾斜角度を５度以上に設定することが好ましい。
【００１５】
また、後述する図４に示すように、本願発明のサインポスト１は、取出口蓋４の表面下端部に樋状雨水受部５ｂを長手方向にわたって設けている。このようなサインポスト１の場合でも、ポスト本体１１上部から滴下してくる雨水を、ポスト本体１１下部（取出口蓋４の表面下端部近傍）にて、上方に向かっての開口部（図示せず）を有する樋状雨水受部５ｂで受け止め、そして、取出口蓋４を開けた際、樋状雨水受部５ｂの開口部がほぼ逆さになって下向きになり、効率よく排水することができ、雨水の浸入防止もできる。
【００１６】
図４は、本願発明の別のサインポストの実施形態を例示した断面図である。
【００１７】
さらにまた、本願発明のサインポスト１は、図４に例示したように、ポスト本体１１下部に斜角状雨水受部５ａを長手方向にわたって設け、さらに、取出口蓋４の表面下端部に、上方に向かっての開口部（図示せず）を有する樋状雨水受部５ｂを長手方向にわたって設けた構成としている。
【００１８】
このような構成とすることで、上記のとおりの、斜角状雨水受部５ａによる雨水の排水効果と雨水の浸入防止効果に加え、樋状雨水受部５ｂによる雨水の排水効果と雨水の浸入防止効果も実現できる。
【００１９】
図１から図４に例示したように、本願発明のサインポスト１において、取出口蓋４には、通常、投函物の確認のため内部が見えるような透明もしくは半透明なのぞき窓４３が設けられていてもよい。さらには、取出口蓋４の開閉をスムーズにするために、図１の例のようにプッシュラッチ６や、図には示していないが把手等が配設されていてもよい。
【００２０】
特に、プッシュラッチ６とすることで、取出口蓋４の開閉を簡単にすることができ、好ましい。具体的には、プッシュラッチ６の場合、プッシュラッチ６と本体１１側に形成されているプッシュラッチ受部１２との係合が、プッシュラッチ６を押すだけで開放され、取出口蓋４を開くことができる。このため、たとえば、荷物等で片手しか使用できない場合でも、簡単に開くことができる。その一方で、取出口蓋４を閉じるときも、取出口蓋４を押し込むだけで、プッシュラッチ６とプッシュラッチ受部１２との係合が確実に行われ、取出口蓋４を確実に閉じることができる。また、このプッシュラッチ６は、防犯性の高いロック機能を有するダイアル式プッシュラッチでもよい。
【００２１】
そして、本願発明のサインポスト１は、取出口蓋４の開閉方式を、上記のとおり、上から下へと開放する下開き式としているため、従来の下から上へと開放する上開き式のサインポストのように、取出口蓋４を開きながら使用者は体を屈ませて、投函物の有無を確認して、取り出すという必要がなくなった。具体的には、下開き式とすることで、使用者の手を煩わせることなく、取出口蓋４を自重によって開放した状態に維持させることができ、その間に投函物の確認および取り出しをスムーズにできる。
【００２２】
このような構成を有する本願発明のサインポスト１は、図３の例のようにブロック塀７等に埋め込んで設置する埋め込み型のサインポスト１としてもよいし、図には示していないが、壁掛け型や据置き型、ポール取付け型等のサインポストとしてもよい。
【００２３】
なお、図には示していないが、本願発明のサインポストの本体前面に形成されている投入口には、開閉自在の蓋体が投入口をカバーするように備えられていてもよく、その際には、バネを介して備えられていることで、投函物等の投函時には内側に押し込まれて開き、投函後にはバネによって閉じることができる。
【００２４】
さらにまた、本願発明のサインポストにおいて、ポスト本体の内底面に、短時間の受光により長時間にわたり高明度の発光をすることが可能な汎用の蓄光性材料が、その一部または全部が投入口から投入された投函物によって、隠蔽されるように配設して発光層を形成してもよい。発光層を形成することで、発光層の光量の強弱の変化から、夜間でも投函物の有無を簡単に確認できる。つまり、投函物が投函されていない場合には、発光層が発する光が投函物によって遮断されることはないので、光量に変化はほとんどなく、光量が強い状態にある。一方、投函物が投函されている場合には、この投函物によって発光層が発する光は遮断されることになり、光量が弱くなる。
【００２５】
なお、発光層が発光するためには、太陽光やＵＶ等の光の吸収が必要であるが、通常、取出口蓋には、上記のとおり、透明もしくは半透明ののぞき窓を有しているので、効率よく光が入射して蓄光（吸収）することができるとともに、発光時の光量も確認できる。
【００２６】
もちろん、本願発明のサインポストは、以上の例示によって限定されるものではなく、その細部において様々な態様とすることが可能であることはいうまでもない。たとえば、サインポストを構成する各部材の材質としては、アルミダイカスト、ガルバリウム鋼板、ステンレス綱（ＳＵＳ３０４、ＳＵＳ３１６等）、各種のプラスチック（ＡＢＳ樹脂やＡＥＳ樹脂、ＰＭＭＡ樹脂等）等、適宜に使用することができ、これらに必要に応じて耐候性を高めるための塗装処理等を施してもよい。
【図面の簡単な説明】
【００２７】
【図１】本願発明のサインポストの一実施形態を例示した断面図である。
【図２】本願発明のサインポストの背部を例示した要部断面斜視図であり、取出口蓋が閉まった状態を示している。
【図３】本願発明のサインポストの一実施形態を例示した全体斜視図であり、（Ａ）は取出口蓋が閉まっている状態、（Ｂ）は取出口蓋が開いている状態を示している。
【図４】本願発明の別のサインポストの実施形態を例示した断面図である。
【符号の説明】
【００２８】
１  サインポスト
１１  ポスト本体
１２  プッシュラッチ受部
２  投入口
３  取出口
４  取出口蓋
４１  軸棒支持部材
４２  軸棒
４３  のぞき窓
５ａ  斜角状雨水受部
５ｂ  樋状雨水受部
６  プッシュラッチ
７  ブロック塀
【図１】
2006296889.tif 000003
【図２】
2006296889.tif 000004
【図３】
2006296889.tif 000005
【図４】
2006296889.tif 000006